(57)【特許請求の範囲】
【請求項１】
周期的に形状が変化する臓器を対象として第１の期間内のそれぞれ異なる複数の時点に撮像された関心ボリューム内の複数のスライスに関する複数の第１の画像と、前記臓器を対象として前記第１の期間とは異なる第２の期間内のそれぞれ異なる時点に撮像された前記関心ボリューム内の複数のスライスに関する複数の第２の画像との中から、前記周期内のほぼ同じ時点で撮像された前記第１の画像と前記第２の画像との組み合わせを選出する選出手段を備え、かつ前記選出手段は、前記複数の第１の画像と前記複数の第２の画像との中から、各画像における前記臓器の膨張率が互いにほぼ一致し、かつ前記臓器が膨張する方向および収縮する方向のいずれであるかが互いに一致する前記組み合わせを選出することを特徴とする医用画像処理装置。
【請求項２】
前記医用画像処理装置は、前記第１の画像および前記第２の画像をユーザに観察させる医用画像観察装置と通信回線を介して通信可能であって、
前記選出手段により選出された組み合わせを表す組み合わせ情報を、前記複数の第１の画像および前記複数の第２の画像とともに医用画像観察装置へと前記通信回線を介して送信する送信手段をさらに備えることを特徴とする請求項１に記載の医用画像処理装置。
【請求項３】
前記医用画像処理装置は、前記複数の第１の画像および前記複数の第２の画像を保管した医用画像保管装置と通信回線を介して通信可能であって、
前記複数の第１の画像および前記複数の第２の画像を前記医用画像保管装置から前記通信回線を介して受信する受信手段と、
前記受信手段により受信された前記複数の第１の画像および前記複数の第２の画像をそれぞれ連続的に表示させる表示手段とをさらに具備し、
前記選出手段は、前記受信手段により受信された複数の第１の画像および前記複数の第２の画像の中から前記組み合わせを選出し、
前記表示手段は、前記選出手段により選出された組み合わせの第１の画像および前記第２の画像を同時に表示するように前記複数の第１の画像および前記複数の第２の画像のそれぞれの表示タイミングを調整することを特徴とする請求項１に記載の医用画像処理装置。
【請求項４】
前記選出手段は、前記第１の期間内のそれぞれ異なる複数の時点のそれぞれにおいて前記臓器のそれぞれ異なる複数の位置がそれぞれ撮像された複数の第３の画像のうちのほぼ同じ位置についてそれぞれ撮像された複数の第３の画像を前記複数の第１の画像として使用するとともに、前記第２の期間内のそれぞれ異なる複数の時点のそれぞれにおいて前記臓器のそれぞれ異なる複数の位置がそれぞれ撮像された複数の第４の画像のうちのほぼ同じ位置についてそれぞれ撮像された複数の第４の画像を前記複数の第２の画像として使用することを特徴とする請求項１に記載の医用画像処理装置。
【発明の詳細な説明】
【技術分野】
【０００１】
本発明は、周期的に形状が変化する心臓や肺などの臓器を対象として連続的に撮像された画像を処理する医用画像処理装置に関する。
【背景技術】
【０００２】
近年、医用撮像装置の進歩により、１枚の画像を短時間のうちに撮像可能となっている。また、複数枚の画像をほぼ同時に撮像することも可能となっている。
【０００３】
このような医用撮像装置により、３次元のボリュームデータを連続的に取得する、いわゆる４Ｄ撮像も可能となっている。４Ｄ撮像により得られたデータを利用することにより、３次元画像を動画的に表示することが可能である。これは、例えば心臓の収縮の様子を３次元画像により観察するためなどに有用である。
【０００４】
一方、医用診断においては、現在の病態と過去の病態とが比較されるケースも多い。そしてこのような医用診断を上記のような３次元画像を使用して行う場合には、現在検査および過去検査のそれぞれで得られた３次元画像を並べて表示することが必要となる。そしてこの場合に、臓器の形状変化の周期における同じタイミングで撮像された画像どうしを比較するためには従来、操作者が２つの画像の表示タイミングを個別に調整する必要があり、その作業は操作者の大きな負担となっていた。
【発明の開示】
【発明が解決しようとする課題】
【０００５】
以上のように従来は、周期的に形状が変化する臓器を対象として異なる期間にそれぞれ連続撮影された画像どうしを同期させて表示する技術は実現されておらず、操作者の負担を増加し、効率的な医用診断の妨げとなっていた。
【０００６】
本発明はこのような事情を考慮してなされたものであり、その目的とするところは、周期的に形状が変化する臓器を対象として異なる期間にそれぞれ連続撮影された画像どうしの比較を容易とすることにある。
【課題を解決するための手段】
【０００７】
本発明の一態様による医用画像処理装置は、周期的に形状が変化する臓器を対象として第１の期間内のそれぞれ異なる複数の時点に撮像された関心ボリューム内の複数のスライスに関する複数の第１の画像と、前記臓器を対象として前記第１の期間とは異なる第２の期間内のそれぞれ異なる複数の時点に撮像された前記関心ボリューム内の複数のスライスに関する複数の第２の画像との中から、前記周期内のほぼ同じ時点で撮像された前記第１の画像と前記第２の画像との組み合わせを選出する選出手段を備え、かつ前記選出手段は、前記複数の第１の画像と前記複数の第２の画像との中から、各画像における前記臓器の膨張率が互いにほぼ一致し、かつ前記臓器が膨張する方向および収縮する方向のいずれであるかが互いに一致する前記組み合わせを選出する。
【発明の効果】
【０００８】
本発明によれば、周期的に形状が変化する臓器を対象として異なる期間にそれぞれ連続撮影された画像どうしの比較を容易にできる。
【発明を実施するための最良の形態】
【０００９】
以下、図面を参照して本発明の一実施形態について説明する。
【００１０】
図１は本実施形態に係る医用画像システム１００の構成を示すブロック図である。
【００１１】
医用画像システム１００は、医用画像診断装置１、医用画像保管装置２および医用画像観察装置３をＬＡＮ（local area network）４を介してネットワーク接続して構成される。各装置間での医用画像通信は、その標準規格であるＤＩＣＯＭ（digital imaging and communications in medicine）に準拠することが望ましいが、適宜、既成の別の規格あるいは独自の規格を適用してもよい。なお、情報通信は、業界標準規格のＴＣＰ／ＩＰ（transmission control protocol/internet protocol）通信で、データはネットワークを介してパケットでやり取りすることが一般的である。
【００１２】
医用画像診断装置１は、被検体をスキャンして得られたデータから被検体に関する医用画像（以下、単に画像と称する）を表す画像データを生成する。医用画像診断装置１としては、Ｘ線ＣＴ装置やＭＲＩ装置などの様々な種類のものを適宜に使用できる。医用画像診断装置１は、画像データとその付帯情報とを含んだ画像ファイル（例えばＤＩＣＯＭファイル）を医用画像保管装置２へとＬＡＮ４を介して送信できる。
【００１３】
医用画像保管装置２は、医用画像診断装置１より送信された画像ファイルを保管する。また医用画像保管装置２は、後述するシリーズ同期処理を実行してシリーズ同期情報を生成する機能を有する。
【００１４】
医用画像観察装置３は、読影医などのユーザが読影のために画像を参照することを可能とするために、医用画像保管装置２に保管された画像を取得し、表示する。
【００１５】
図２は医用画像保管装置２の構成を示すブロック図である。
【００１６】
医用画像保管装置２は、データ送受信部２１、画像保存部２２、データベース部２３および制御部２４を含む。
【００１７】
データ送受信部２１は、ＬＡＮボードを含む。データ送受信部２１は、医用画像診断装置１から送出されてＬＡＮ４を介して到来した画像ファイルを受信したり、医用画像観察装置３へと配信するべき画像ファイルをＬＡＮ４へと送出する。画像保存部２２は、医用画像保管装置２で保管しておく画像ファイルを保存する。データベース部２３は、画像保存部２２に保存された画像フェイルを管理するための各種情報を記憶する。データベース部２３に記憶される各種情報には、画像ファイルとその画像ファイルを特定するための情報とを関連付ける情報や、各種の制御パラメータが含まれる。またデータベース部２３に記憶される各種情報には、シリーズ同期情報が含まれる。制御部２４は、医用画像保管装置２の各部を制御して、画像データの収集・管理・配信などの周知の医用画像保管装置が備える各種の機能を実現する。制御部２４は、シリーズ同期情報を生成する機能を備える。また制御部２４は、配信する画像ファイルの付帯情報にシリーズ同期情報を含める機能を備える。
【００１８】
なお、医用画像保管装置２は、汎用のコンピュータ装置を基本ハードウェアとして使用して実現できる。そして制御部２４が有する各種の機能は、上記のコンピュータ装置に搭載されたプロセッサに各種の機能を実現するために記述されたプログラムを実行させることにより実現できる。このときに医用画像保管装置２は、上記のプログラムが上記のコンピュータ装置に予めインストールされて実現されても良いし、磁気ディスク、光磁気ディスク、光ディスク、半導体メモリなどのようなリムーバブルな記録媒体に記録して、あるいはネットワークを介して上記のプログラムを配布し、このプログラムを上記のコンピュータ装置に適宜インストールして実現されても良い。なお、上記の各部は、その一部または全てをロジック回路などのハードウェアにより実現することも可能である。また上記の各部のそれぞれは、ハードウェアとソフトウェア制御とを組み合わせて実現することも可能である。
【００１９】
図３は医用画像観察装置３の構成を示すブロック図である。
【００２０】
医用画像観察装置３は、データ送受信部３１、記憶部３２、表示部３３、操作部３４および制御部３５を含む。
【００２１】
データ送受信部３１は、ＬＡＮボードを含む。データ送受信部３１は、医用画像保管装置２から送出されてＬＡＮ４を介して到来する画像ファイルを受信する。記憶部３２は、画像ファイルを記憶する。表示部３３は、記憶部３２に記憶された画像ファイルに基づく画像やユーザに対して提示するべき各種の情報を制御部３５の制御の下に表示する。操作部３４は、ユーザにより医用画像観察装置３の各種の機能を操作するための各種の指示や情報をユーザの操作に応じて入力する。制御部３５は、医用画像観察装置３の各部を制御して、医用画像保管装置２からの画像ファイルの取得や、この取得した画像データに基づく画像の表示などの周知の医用画像観察装置が備える各種の機能を実現する。制御部３５は、画像ファイルに含まれるシリーズ同期情報に基づく後述する同期表示のための処理機能を備える。
【００２２】
なお、医用画像観察装置３は、汎用のコンピュータ装置を基本ハードウェアとして使用して実現できる。そして制御部２４が有する各種の機能は、上記のコンピュータ装置に搭載されたプロセッサに各種の機能を実現するために記述されたプログラムを実行させることにより実現できる。このときに医用画像保管装置２は、上記のプログラムが上記のコンピュータ装置に予めインストールされて実現されても良いし、磁気ディスク、光磁気ディスク、光ディスク、半導体メモリなどのようなリムーバブルな記録媒体に記録して、あるいはネットワークを介して上記のプログラムを配布し、このプログラムを上記のコンピュータ装置に適宜インストールして実現されても良い。なお、上記の各部は、その一部または全てをロジック回路などのハードウェアにより実現することも可能である。また上記の各部のそれぞれは、ハードウェアとソフトウェア制御とを組み合わせて実現することも可能である。
【００２３】
次に以上のように構成された医用画像システム１００の動作について説明する。なお、この医用画像システム１００は、同様な既存のシステムにおいて実現されている各種の動作を同様に実現できるが、その説明は省略する。以下では、この医用画像システム１００における特有の動作について説明する。ここでは、膨張と収縮を繰り返すことによって形状が変化する心臓や肺などのような臓器を医用診断の対象とすることを前提とした動作例を説明する。以下においては、医用診断の対象とする臓器を対象臓器と称することとする。
【００２４】
医用画像診断装置１は、４Ｄ撮像を行うことが可能である。４Ｄ撮像においては、関心ボリューム内の複数のスライスにそれぞれ関する複数枚分の画像データがほぼ同時に得られる。この複数枚分の画像データの取得動作は、シリーズと称される。そして４Ｄ撮像においては、このシリーズが、予め定められた撮像期間内の異なるタイミングにおいてそれぞれ行われる。かくして１検査に関する４Ｄ撮像においては、図４に示すような関係にある多数の画像を表す画像データが得られる。なお、図４では１シリーズ当たり３枚の画像を示しているが、１シリーズ当たりの画像数は数百枚に達することがある。また図４では第３のシリーズまでを示しているが、１検査当たりのシリーズ数は、数十から数百シリーズに達することがある。
【００２５】
医用画像診断装置１は、４Ｄ撮像を行った場合には、上記のような多数の画像データを含んだ画像ファイルを医用画像保管装置２に送信する。
【００２６】
医用画像診断装置１から送信された画像ファイルがＬＡＮ４を介して医用画像保管装置２に到来すると、データ送受信部２１がこの画像ファイルを受信する。そして画像ファイルは、画像保存部２２に保存される。画像保存部２２は、多数の検査に関する画像ファイルを蓄積できる。
【００２７】
さて、読影医などのユーザが異なる例えば新たに実施した検査および過去に実施した検査などのような２つの検査（以下、第１の検査および第２の検査と称する）に関して４Ｄ撮像により得られた画像を比較しながら医用診断を行おうとする場合には、ユーザは医用画像観察装置３において操作部３４を操作してその旨を指示する。この指示に応じて制御部３５は、指定された検査に関する画像ファイルを配信するように医用画像保管装置２に対して要求する。
【００２８】
上記の要求を受けると医用画像保管装置２では、制御部２４が図５に示すような処理を開始する。
【００２９】
ステップＳａ１において制御部２４は、第１の検査に関する多数の画像データのうちの１枚分の画像データを読み出す。ここで読み出す画像データは、いずれのシリーズに属するものであっても良い。例えば、医用画像保管装置２において予め定められたシリーズに属する画像データであっても良いし、あるいはユーザにより指定されたシリーズに属する画像データであっても良い。また読み出す画像データは、あるシリーズに属する複数の画像データのうちのいずれであっても良い。対象臓器のうちの観察に適する部位が関心ボリュームの中央に位置するように関心ボリュームが設定されることが一般的であるから、関心ボリュームの中央付近に関して得られた画像データを読み出すことが一方である。ただし、関心ボリュームが必ずしも上記のように設定されるとは限らないので、ユーザにより指定される位置について得られた画像データを読み出しても良い。また、１つのシリーズに含まれる複数枚分の画像データよりなるボリュームデータから断面変換によって任意断面についての画像データを得るようにしても良い。
【００３０】
ステップＳａ２において制御部２４は、ステップＳａ１で読み出した画像データから対象臓器の画像上での形状を特定する。この形状の特定には、例えば既存のパターン認識技術を利用できる。
【００３１】
ステップＳａ３において制御部２４は、上記の特定した形状に基づいて、対象臓器の膨張率を算出する。なお膨張率は例えば、上記の特定した形状から求まる対象臓器の径の予め定めた代表径に対する比率として求めることができる。代表径としては例えば、ステップＳａ１で読み出した画像データと同一位置に関して同一検査の別のシリーズで得られた画像データのそれぞれから求まる対象臓器の径の最大値、最小値、あるいは平均値などとして定めることができる。
【００３２】
ステップＳａ４において制御部２４は、ステップＳａ１で読み出した画像データに表れた対象臓器の形状の変化方向が、膨張する方向および収縮する方向のいずれであるかを判定する。これは例えば、ステップＳａ１で読み出した画像データと同一位置に関して同一検査の次シリーズで得られた画像データから求まる対象臓器の径がステップＳａ１で読み出した画像データから求まる対象臓器の径よりも大きいか否かを確認することによって実現できる。
【００３３】
ステップＳａ５において制御部２４は、ステップＳａ１で読み出した画像データとほぼ同一の位置に関して第２の検査で得られた画像データのうちの１枚分を読み出す。
【００３４】
ステップＳａ６乃至ステップＳａ８において制御部２４は、ステップＳａ２乃至ステップＳａ４と同様な手法によって、ステップＳａ５で読み出した画像データに表れた対象臓器の膨張率を算出するとともに、対象臓器の形状の変化方向を判定する。
【００３５】
ステップＳａ９において制御部２４は、ステップＳａ３およびステップＳａ７でそれぞれ算出した膨張率が一致し、かつステップＳａ４およびステップＳａ８でそれぞれ判定した変化方向が一致するか否かを確認する。なお制御部２４は、ステップＳａ３およびステップＳａ７でそれぞれ算出した膨張率の差が予め定めた一定の割合以下であるならば、両膨張率が一致すると判断して良い。
【００３６】
上記の２つの条件のいずれか一方でも成立しなければ、制御部２４はステップＳａ５乃至ステップＳａ９の処理を繰り返す。なお、２度目以降のステップＳａ５においては、それまでのステップＳａ５で読み出していない画像データを読み出す。
【００３７】
上記の２つの条件がいずれも成立しているならば、制御部２４はステップＳａ９からステップＳａ１０へ進む。ステップＳａ１０において制御部２４は、ステップＳａ１で読み出した画像データが属するシリーズとステップＳａ５にて最後に読み出した画像データが属するシリーズとを互いに対応する組み合わせとして選出し、この組み合わせを表すシリーズ同期情報を生成する。そして制御部２４は、図５に示す処理を終了する。
【００３８】
図６は以上に説明した処理により第１および第２の検査の間のシリーズの組み合わせが選出される様子の具体例を示す図である。
【００３９】
図６はステップＳａ１において第２のシリーズの画像データを読み出した場合を示す。第２の検査における第１および第３のシリーズのそれぞれに関する膨張率がいずれも第１の検査における第２のシリーズに関する膨張率に近いが、形状変化の方向が第１の検査の第２のシリーズと一致するのは第２の検査における第３のシリーズのみであるので、第２の検査の第３のシリーズが第１の検査の第２のシリーズとが互いに対応する組み合わせとして選出される。
【００４０】
この図５に示した処理は、１度だけ行っても良いし、複数回行っても良い。複数回行う場合には、ステップＳａ１において制御部２４は、毎回異なるシリーズに属する画像データを読み出すようにする。このようにすれば、第１の検査に属する複数のシリーズのそれぞれに関して第２の検査に属するシリーズの対応付けが行われる。第１の検査に属するシリーズ数に渡り図５に示す処理を実行すれば、第１の検査に属する全てのシリーズのそれぞれと第２の検査に属するシリーズとの組み合わせの選出が行われる。ただし、第１の検査に属する全てのシリーズが第２の検査に属するシリーズと組み合わせ可能であるとは限らない。第２の検査に属するいずれのシリーズとの組み合わせとして選出できなかった第１の検査のシリーズは、組み合わせ無しとして扱うようにすれば良い。
【００４１】
なお、図５に示す処理を複数回行う場合には、シリーズ同期情報を個別に生成しても良いし、図７に示すように複数の対応関係を記述した１つのシリーズ同期情報として生成しても良い。
【００４２】
このようにしてシリーズ同期情報を生成したならば制御部２４は、配信が要求された２検査分の画像ファイルを画像保存部２２から読み出し、上記の生成したシリーズ同期情報とともに医用画像観察装置３へと送信するようにデータ送受信部２１を制御する。このときにシリーズ同期情報は、付帯情報として画像ファイルに含められる。ただしシリーズ同期情報は、独立した情報ファイルとして画像ファイルとは分けられても良い。
【００４３】
この画像ファイルがＬＡＮ４を介して医用画像観察装置３に到達すると、データ送受信部３１がこれを受信する。そして画像ファイルは記憶部３２に記憶される。
【００４４】
こののちに制御部３５は、図８に示すような処理を実行する。
【００４５】
ステップＳｂ１において制御部３５は、画像ファイルに含まれているシリーズ同期情報に基づいて、第１および第２の検査のどのシリーズどうしが対応しているのかを判定し、その対応しているシリーズのそれぞれの画像を表示部３３にて並列表示させる。例えば図６に示すように第１の検査の第２のシリーズと第２の検査の第３のシリーズとが対応付けられているのならば、制御部３５は第１の検査の第２のシリーズに関する画像と第２の検査の第３のシリーズに関する画像とを並列表示させる。なお、ここで表示する画像は、各シリーズに含まれた複数枚分の画像データによりなるボリュームデータから生成された３次元画像とすることが一般的である。しかし、同一断面についての断面画像を表示しても構わない。
【００４６】
ステップＳｂ２において制御部３５は、表示するシリーズの変更がユーザにより要求されるのを待ち受ける。そして操作部３４でのユーザ操作によりそのような要求がなされたならば、制御部３５はステップＳｂ２からステップＳｂ３へ進む。ステップＳｂ３において制御部３５は、シリーズの対応関係を維持したままで各検査についての表示画像をそれぞれ変更する。すなわち、例えば表示画像を１シリーズ分進める要求がユーザによりなされたとするならば、第１の検査に関する画像および第２の検査に関する画像のそれぞれを１つ先のシリーズに関する画像に更新する。なお、シリーズ同期情報にて複数の組み合わせが定義されている場合には、ユーザ要求に応じて新たな表示対象となる第１の検査のシリーズに関する組み合わせが定義されているかどうかを確認し、該当する組み合わせが定義されているならばそれに従って第２の検査に関する画像を選択して並列表示する。
【００４７】
このように本実施形態によれば、医用画像保管装置２にて、臓器の形状変化の周期内のほぼ同じタイミングに関するシリーズの組み合わせが選出される。従って医用画像観察装置３では、上記のように選出された組み合わせの各シリーズの画像を並列表示することで、医用観察に適切な組み合わせでの画像の並列表示を容易に行うことができる。なお、シリーズ同期情報は、シリーズ同期情報に基づく上記のような自動的な並列表示機能を利用せずに、ユーザが任意に選択した画像を並列表示する場合にも、ユーザによる画像の選択の参照情報として有益である。
【００４８】
また本実施形態によれば、シリーズの組み合わせの選出を画像に表れた臓器の形状の特徴に基づいて行っており、シリーズの組み合わせの選出のための特別な情報を必要としないので、どのような医用画像診断装置１で得られた画像データに基づいてでもシリーズの組み合わせの選出が行え、汎用性が非常に高い。
【００４９】
上記実施形態では、医用画像システム１００は医用画像観察装置３を１つのみ含むものとしているが、実際には多数の医用画像観察装置３が含まれることが多い。シリーズの組み合わせの選出は、医用画像観察装置３での画像表示を支援するための処理であるが、このような処理を本実施形態では医用画像観察装置３ではなく医用画像保管装置２にて行っていることにより、シリーズの組み合わせの選出を行う機能を多数の医用画像観察装置３に個々に備える必要がない。
【００５０】
心臓の場合、病変としての肥大が生じることがある。そしてこのような肥大が生じる前後では、心周期中の同じタイミングにおける心臓径が異なることになる。しかしながら本実施形態では、画像に表れた臓器の形状の特徴を表す特徴値の１つとして膨張率を使用しているから、第１および第２の検査が肥大が生じる前後にそれぞれ行われた場合であっても、シリーズの組み合わせの選出を適切に行える。
【００５１】
この実施形態は、次のような種々の変形実施が可能である。
【００５２】
シリーズの組み合わせの選出のために参照する特徴値としては、例えば臓器の径、面積、あるいは体積などのような臓器の形状の特徴を表すいかなる値も利用可能である。
【００５３】
画像ファイルに心電情報、心拍情報、呼吸情報、あるいは臓器の変化の周期の基準タイミング（人為的に設定されたもの）を表す情報などが、各シリーズあるいは各画像に対応付けて含まれているならば、それらの情報を利用してシリーズの組み合わせの選出を行うことも可能である。
【００５４】
図５に示す処理を行う機能は、医用画像観察装置３に備えても良い。例えば、医用画像保管装置２から配信された２検査分の画像ファイルを対象として、図５に示す処理と同様な処理を制御部３５が行えば良い。
【００５５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００５６】
【図１】本発明の一実施形態に係る医用画像システム１００の構成を示すブロック図。
【図２】図１中の医用画像保管装置２の構成を示すブロック図。
【図３】図１中の医用画像観察装置３の構成を示すブロック図。
【図４】４Ｄ撮像において得られる多数の画像データのイメージを示す図。
【図５】制御部２４の処理手順を示すフローチャート。
【図６】第１および第２の検査の間のシリーズの組み合わせが選出される様子の具体例を示す図。
【図７】シリーズ同期情報の具体例を示す図。
【図８】制御部３５の処理手順を示すフローチャート。
【符号の説明】
【００５７】
１…医用画像診断装置、２…医用画像保管装置、３…医用画像観察装置、２１…データ送受信部、２２…画像保存部、２３…データベース部、２４…制御部、３１…データ送受信部、３２…記憶部、３３…表示部、３４…操作部、３５…制御部、１００…医用画像システム。
【図１】
0005472891.tif 000002
【図２】
0005472891.tif 000003
【図３】
0005472891.tif 000004
【図４】
0005472891.tif 000005
【図５】
0005472891.tif 000006
【図６】
0005472891.tif 000007
【図７】
0005472891.tif 000008
【図８】
0005472891.tif 000009